(57)【要約】【課題】  空気中などに浮遊する雑菌を除去、不活化することができる除菌ユニットを提供する。【解決手段】  通過する空気中の菌を捕集する基材２ａと、酵素を担持した酵素担持手段２と、前記酵素担持手段２を加熱する加熱手段３を備えるとともに、機器（図示せず）の送風回路（図示せず）に配置するようにしたもので、基材２ａで捕集された雑菌が、加熱手段３で加熱されて酵素の活性化が促進された酵素担持手段２で、短時間で細菌や真菌などの雑菌を除去、死滅化することができる。【選択図】  図１ 
2005061735.tif 000002
【特許請求の範囲】
【請求項１】
通過する空気中の菌を捕集する捕集手段と、酵素を担持した酵素担持手段と、前記酵素担持手段を加熱する加熱手段を備えるとともに、機器の送風回路に配置されることを特徴とする除菌ユニット。
【請求項２】
加熱手段を酵素担持手段の上流側に配置したことを特徴とする請求項１記載の除菌ユニット。
【請求項３】
捕集手段に酵素を担持して、酵素担持手段とした請求項１または２記載の除菌ユニット。
【請求項４】
加熱手段を形成する基材または加熱手段と熱的に一体化された基材に酵素を担持することを特徴とする請求項１〜３のいずれか１項記載の除菌ユニット。
【請求項５】
酵素の除菌特性と異なる除菌特性を有する抗菌剤を担持したことを特徴とする請求項１〜４のいずれか１項記載の除菌ユニット。
【請求項６】
空気取入口と、吹出口と、前記空気取入口から空気を取り入れ前記吹出口から空気を吹き出すためのファンを備え、前記空気取入口と吹出口を連通する通風路の一部に請求項１〜５のいずれか１項記載の除菌ユニットを配した電気機器。
【発明の詳細な説明】
【技術分野】
【０００１】
本発明は、空気調和機、空気清浄機、冷蔵庫など送風回路を有する機器の通風路内に設け、空気中や庫内に浮遊する菌を捕集し、不活化させるために用いられる除菌ユニット並びにそれを用いた電気機器に関するものである。
【背景技術】
【０００２】
従来の除菌ユニットに関する技術として、空気調和機に使用されるプレフィルターや空気清浄機用のフィルターに無機系抗菌剤を塗布または混練しているものがある（例えば、特許文献１参照）。
【０００３】
また、酵素を用いたものとして、空気調和機の通風回路内に設けた脱臭剤に酵素を含有しているものがある（例えば、特許文献２参照）。
【特許文献１】特開平１０−２４６５０５号公報（第３−５頁、図１）
【特許文献２】特開平１０−２６３５７号公報（第２−４頁、図１）
【発明の開示】
【発明が解決しようとする課題】
【０００４】
しかしながら、特許文献１に開示されたような構成では、無機系の抗菌剤をプレフィルターや空気清浄機用フィルターに塗布または混練しているものであるため、捕集した雑菌に対しある程度の効果は有するものの速効性がないため、一旦捕集した雑菌を再び飛散させてしまうという課題を有している。
【０００５】
また、特許文献２に開示されたような構成は、酵素を木酢液などに含有させて、室内の脱臭を目的とするものであり、菌を不活化させるものとは、目的、効果は全く異なるものである。
【０００６】
本発明はこのような従来の課題を解決するものであり、送風回路を有する機器の通風路内に設けられ、空気中などに浮遊する菌を捕集し、短時間で不活化させることができる除菌ユニットを提供することを目的とするものである。
【課題を解決するための手段】
【０００７】
上記従来の課題を解決するために、本発明の除菌ユニットは、通過する空気中の菌を捕集する捕集手段と、酵素を担持した酵素担持手段と、前記酵素担持手段を加熱する加熱手段を備えるとともに、機器の送風回路に配置するようにしたもので、捕集手段で捕集された雑菌が、加熱手段で加熱されて酵素の活性化が促進された酵素担持手段で、短時間で細菌や真菌などの雑菌を除去、死滅化することができる。
【０００８】
また、本発明の電気機器は、空気取入口と、吹出口と、前記空気取入口から空気を取り入れ前記吹出口から空気を吹き出すためのファンを備え、前記空気取入口と吹出口を連通する通風路の一部に請求項１〜５のいずれか１項記載の除菌ユニットを配したもので、前記除菌ユニットの捕集手段または酵素担持手段で雑菌を捕集し、加熱手段にて酵素の活性が高められた酵素担持手段で、空気中などに浮遊する細菌や真菌などの雑菌を短時間で除去、死滅化することができるので、衛生的でかつ除菌効果の大なる電気機器を提供する事ができる。
【発明の効果】
【０００９】
本発明の除菌ユニットは、短時間で細菌や真菌などの雑菌を除去、死滅化することができる。
【発明を実施するための最良の形態】
【００１０】
第１の発明は、通過する空気中の菌を捕集する捕集手段と、酵素を担持した酵素担持手段と、前記酵素担持手段を加熱する加熱手段を備えるとともに、機器の送風回路に配置するようにしたもので、捕集手段で捕集された雑菌が、加熱手段で加熱されて酵素の活性化が促進された酵素担持手段で、短時間で細菌や真菌などの雑菌を除去、死滅化することができる。
【００１１】
第２の発明は、加熱手段を酵素担持手段の上流側に配置したもので、加熱手段からの熱が酵素担持手段に伝わりやすくなり、効率よく酵素を活性化することができ、より短時間で細菌や真菌などの雑菌を除去、死滅化することができる。
【００１２】
第３の発明は、捕集手段に酵素を担持して、酵素担持手段としたもので、酵素担持手段に細菌や真菌の捕集機能も持たせることで部品点数の削減並びに安価に形成することができる。
【００１３】
第４の発明は、加熱手段を形成する基材または加熱手段と熱的に一体化された基材に酵素を担持するもので、加熱手段からの熱が直接酵素に伝わるため、効率よく酵素を活性化することができ、より短時間で細菌や真菌などの雑菌を除去、死滅化することができる。
【００１４】
第５の発明は、酵素の除菌特性と異なる除菌特性を有する抗菌剤を担持したもので、酵素で死滅化されにくい雑菌を特性の異なる抗菌剤で死滅化することができ、除菌特性の高い除菌ユニットを提供することができる。
【００１５】
第６の発明は、空気取入口と、吹出口と、前記空気取入口から空気を取り入れ前記吹出口から空気を吹き出すためのファンを備え、前記空気取入口と吹出口を連通する通風路の一部に請求項１〜５のいずれか１項記載の除菌ユニットを配したもので、捕集手段または酵素担持手段で雑菌を捕集し、加熱手段にて酵素の活性が高められた酵素担持手段で、空気中などに浮遊する細菌や真菌などの雑菌を短時間で除去、死滅化することができるので、衛生的でかつ除菌効果の大なる電気機器を提供する事ができる。
【００１６】
以下、本発明の実施の形態について、図面を参照しながら説明する。なお、この実施の形態によって本発明が限定されるものではない。
【００１７】
（実施の形態１）
本発明の第１の実施の形態における除菌ユニットを図１、図２を用いて説明する。
【００１８】
図１は、本実施の形態の除菌ユニットの断面を示す斜視図、図２は酵素の活性度合いを温度帯域で示したグラフである。
【００１９】
図１において、除菌ユニット１は、例えば不織布などをフィルター状に加工し雑菌などを捕集する捕集手段となる基材２ａに、例えばリゾチームのような酵素を担持することにより作製した酵素担持手段２と、酵素担持手段２を加熱するために酵素担持手段２に密着、または隣接するように配置された例えば線状ヒータなどからなる加熱手段３と、酵素担持手段２と加熱手段３を一体化するためのケース４とから構成されており、ケース４の両面には通風可能なように開口部５が設けられている。
【００２０】
酵素は、図２にも示すように、６０℃近辺で活性度が最も高くなることが確認されている。
【００２１】
以上のように構成された除菌ユニットを、空気調和機、空気清浄機、冷蔵庫など送風回路を有する機器の通風路内に設けることにより、雑菌を含む空気が除菌ユニット１の開口部５を通過する際に、空気中などに浮遊する細菌や真菌などの雑菌が、捕集手段を兼ねる酵素担持手段２で捕集される。
【００２２】
捕集された雑菌は、酵素の作用で細菌の細胞が溶解され死滅化するが、酵素を加熱する加熱手段３で酵素担持手段２を都度加熱または常に加熱することにより、酵素は更に活性度が高くなり、酵素担持手段２で捕集した雑菌を短時間で死滅させることが可能となる。
【００２３】
（実施の形態２）
次に、本発明の第２の実施の形態を図３を用いて説明する。なお、上記実施の形態と同一部分については同一符号、同一名称を用いてその説明を省略する。
【００２４】
本実施の形態では、図３に示すように、酵素担持手段２の上流側に加熱手段３を配置したもので、通風条件下では、加熱手段３から酵素担持手段２への熱の伝わりが効率良く行われ、酵素担持手段２に担持した酵素を短時間で効率よく活性化することが可能となり、より短時間で細菌や真菌などの雑菌を除去、死滅化することができる。
【００２５】
（実施の形態３）
次に、本発明の第３の実施の形態を図４を用いて説明する。なお、上記実施の形態と同一部分については同一符号、同一名称を用いてその説明を省略する。
【００２６】
図４は、本実施の形態の除菌ユニットの断面図で、６は複数の金属フィンで、加熱手段３と熱的に一体化されている。また、金属フィン６の表面には酵素が直接またはバインダーを介して担持されている。
【００２７】
風は、金属フィン６と金属フィン６の間を通過するようになっている。
【００２８】
この実施の形態によれば、加熱手段３と熱的に一体化した金属フィン６の表面に酵素が担持されているので、酵素が担持された金属フィン６の狭い間を風が通過しながら、細菌や真菌などの雑菌を除去することが可能となり、低圧損で効率のよい除菌ユニット１を提供することが可能となる。
【００２９】
（実施の形態４）
次に、本発明の第４の実施の形態を図５を用いて説明する。なお、上記実施の形態と同一部分については同一符号、同一名称を用いてその説明を省略する。
【００３０】
図５は、本実施の形態における除菌ユニット１の酵素担持手段２の拡大図で、酵素担持手段２には、直接またはバインダーを介して酵素１０と酵素と異なる除菌特性を有する抗菌剤１１が担持されている。抗菌剤１１は、例えば銀ゼオライト系のような無機系抗菌剤であり、異なる特性を有する抗菌剤を２種類、あるいはそれ以上を組み合わせて酵素担持手段２に担持することにより、酵素だけでは効果の低い細菌や真菌などの雑菌に対しても、抗菌剤の相乗効果で死滅化させることが可能になる。
【００３１】
（実施の形態５）
次に、本発明の第５の実施の形態を図６を用いて説明する。なお、上記実施の形態と同一部分については同一符号、同一名称を用いてその説明を省略する。
【００３２】
本実施の形態は、上記実施の形態で述べた除菌ユニット１を、送風機能を有する電気機器、例えば空気調和機２０の通風路内に設置した例を示すものである。
【００３３】
空気調和機２０は、前面に設けた空気取入口２１、室内熱交換機２２、吹出口２３、外気を空気取入口２１から取り入れ室内熱交換機２２を通して吹出口２３から吐き出すファン２４を備え、除菌ユニット１は、空気取入口２１から吹出口２３までの間の通風路内の一部である室内熱交換機２２の上流側に配置されている。
【００３４】
以上の構成により、空気調和機２０を運転すると、空気吸入口２１から吸引された外気に雑菌が混じっていても、それが室内熱交換機２２に至る前に、除菌ユニット１で確実に捕集され、除菌されるので、菌が室内熱交換機２２で増殖する事も無く極めて衛生的である。
【００３５】
なお通風回路を有する機器であれば、上記空気調和機に限らず、空気清浄機や扇風機などを用いても、空気中の細菌や真菌を引き込む様にして効率良く捕集し、除去する事ができる。また、冷蔵庫の通風回路内に設置すると、庫内の雑菌を除去死滅化することも可能である。
【産業上の利用可能性】
【００３６】
以上のように、本発明にかかる除菌ユニットは、空気中に浮遊する細菌や真菌を効率良く捕集し、除菌できるので、空調機器、空気清浄機、扇風機、冷蔵庫、冷凍庫など風を扱う各種機器に適用可能である。
【図面の簡単な説明】
【００３７】
【図１】本発明の第１の実施の形態を示す除菌ユニットの断面図
【図２】同除菌ユニットの温度帯域での酵素活性度を示すグラフ
【図３】本発明の第２の実施の形態を示す除菌ユニットの断面図
【図４】本発明の第３の実施の形態を示す除菌ユニットの断面図
【図５】本発明の第４の実施の形態を示す除菌ユニットの酵素担持手段の拡大図
【図６】本発明の第５の実施の形態を示す空気調和機の断面図
【符号の説明】
【００３８】
１    除菌ユニット
２    酵素担持手段
２ａ  基材（捕集手段）
３    加熱手段
４    ケース
５    開口部
６    金属フィン
１０    酵素
１１    抗菌剤
２０    空気調和機
【図１】
2005061735.tif 000003
【図２】
2005061735.tif 000004
【図３】
2005061735.tif 000005
【図４】
2005061735.tif 000006
【図５】
2005061735.tif 000007
【図６】
2005061735.tif 000008